(57)【要約】【課題】液晶表示パネルに光を複数の光源で照射するバックライトにおいて各光源の発光タイミングを、経年変化等に合わせて最適化する。【解決手段】光源駆動回路４０は、第１領域から第ｎ領域までに対応する光源３１−１〜３１−ｎを駆動する。各領域には、それぞれ光センサー５１−１〜５１−ｎが設けられる。光源駆動回路４０は、また、ある光源に対応する領域に属する走査線が最初に選択されるタイミングと、当該光源の領域に設けられた光センサーによって検出された明るさが明方向から暗方向に変化する場合に予め設定された閾値に達するタイミングとが一致するように、当該光源の発光タイミングを制御する。【選択図】図３
2010191190.tif 000002
【特許請求の範囲】
【請求項１】
複数本の走査線と複数本のデータ線との交点に対応して設けられた画素を有し、複数本の前記走査線を予め定められた順番で選択して、選択した走査線に対応する画素にデータ信号を書き込む液晶表示パネルの背面側に設けられたバックライトであって、
液晶表示パネルの表示領域を前記走査線の延在方向に沿って複数に分割するとともに前記データ線の延在方向に並べて配列させた複数の領域のそれぞれに対応して設けられ、前記液晶表示パネルの背面側から各前記領域に光をそれぞれ照射する複数の光源と、
複数の前記光源のうち、一の光源の発光タイミングを、
当該一の光源に対応する領域に属する走査線が最初に選択されるタイミングと、当該一の光源の領域に設けられた光センサーによって検出された明るさが明方向から暗方向に変化する場合に予め設定された閾値に達するタイミングとの時間的なズレが予め設定された閾値内に収まるように制御する光源駆動回路と、
を有することを特徴とする液晶表示パネル用のバックライト。
【請求項２】
複数本の走査線と複数本のデータ線との交点に対応して設けられた画素を有し、複数本の前記走査線を予め定められた順番で選択して、選択した走査線に対応する画素にデータ信号を書き込む液晶表示パネルの背面側に設けられ、
前記液晶表示パネルの表示領域を前記走査線の延在方向に沿って複数に分割するとともに前記データ線の延在方向に並べて配列させた複数の領域のそれぞれに対応して設けられ、前記液晶表示パネルの背面側から各前記領域に光をそれぞれ照射する複数の光源を、
を有するバックライトの制御方法であって、
複数の前記領域のうち、一の領域の明るさを検出し、
当該一の領域に属する走査線が最初に選択されるタイミングと、当該一の領域で検出した明るさが明方向から暗方向に変化する場合に予め設定された閾値に達するタイミングとの時間的なズレが予め設定された閾値内に収まるように制御する
ことを特徴とするバックライトの制御方法。
【請求項３】
複数本の走査線と複数本のデータ線との交点に対応して設けられた画素を有し、複数本の前記走査線を予め定められた順番で選択して、選択した走査線に対応する画素にデータ信号を書き込む液晶表示パネルと、
前記液晶表示パネルの表示領域を前記走査線の延在方向に沿って複数に分割するとともに前記データ線の延在方向に並べて配列させた複数の領域のそれぞれに対応して設けられ、前記液晶表示パネルの背面側から各前記領域に光をそれぞれ照射する複数の光源と、
複数の前記領域の明るさをそれぞれ検出する複数の光センサーと、
複数の前記光源のうち、一の光源の発光タイミングを、
当該一の光源に対応する領域に属する走査線が最初に選択されるタイミングと、当該一の光源の領域に設けられた光センサーによって検出された明るさが明方向から暗方向に変化する場合に予め設定された閾値に達するタイミングとの時間的なズレが予め設定された閾値内に収まるように制御する光源駆動回路と、
を有することを特徴とする液晶表示装置。
【請求項４】
請求項３に記載の液晶表示装置を有することを特徴とする電子機器。
【発明の詳細な説明】
【技術分野】
【０００１】
本発明は、液晶表示パネルの背面側から光を照射する技術に関する。
【背景技術】
【０００２】
携帯電話などの情報端末機器の表示手段として用いられる液晶表示装置は、液晶表示パネルによる光変調像に光を照射することによって可視化するものである。液晶表示パネルは、透過型と反射型とに大別されるが、パネルの背面側に設置されたバックライトを点灯させる透過型の方が、暗い場所でも高品位な画像が良好に視認できるなど利点が多い。
また、液晶表示パネルは、動画の表示させる際に残像感を発生させる。このため、バックライトの発光領域を複数に分割するとともに、各領域を液晶表示パネルの走査に同期して断続的に発光させる技術が提案されている（特許文献１参照）。
【先行技術文献】
【特許文献】
【０００３】
【特許文献１】特開２００２−１８２１８２号公報（図１）
【発明の概要】
【発明が解決しようとする課題】
【０００４】
ところで、発光領域を複数に分割するとともに、各領域を断続的に最適なタイミングで発光させたとき、その発光タイミングが経年変化等によってズレてくる、という問題が生じた。
本発明は、上述した事情に鑑みてなされたもので、その目的の一つは、発光領域を複数に分割するとともに、各領域を断続的に発光させる場合に、その発光タイミングが経年変化等の影響を受けにくくした技術を提供することにある。
【課題を解決するための手段】
【０００５】
上記課題を解決するために本発明に係るバックライトは、複数本の走査線と複数本のデータ線との交点に対応して設けられた画素を有し、複数本の前記走査線を予め定められた順番で選択して、選択した走査線に対応する画素にデータ信号を書き込む液晶表示パネルの背面側に設けられたバックライトであって、液晶表示パネルの表示領域を前記走査線の延在方向に沿って複数に分割するとともに前記データ線の延在方向に並べて配列させた複数の領域のそれぞれに対応して設けられ、前記液晶表示パネルの背面側から各前記領域に光をそれぞれ照射する複数の光源と、複数の前記光源のうち、一の光源の発光タイミングを、当該一の光源に対応する領域に属する走査線が最初に選択されるタイミングと、当該一の光源の領域に設けられた光センサーによって検出された明るさが明方向から暗方向に変化する場合に予め設定された閾値に達するタイミングとの時間的なズレが予め設定された閾値内に収まるように制御する光源駆動回路と、を有することを特徴とする。本発明によれば、光センサーによって光漏れを考慮した明るさが各領域において検出されるとともに、検出した明るさによって光源の発光タイミングを制御するので、経年変化等の影響を受けにくくすることが可能となる。
なお、本発明は、バックライトのほか、バックライトの制御方法や、液晶表示装置、電子機器としても概念することが可能である。
【図面の簡単な説明】
【０００６】
【図１】実施形態に係る液晶表示装置の構成を示す図である。
【図２】画面領域と発光領域との関係を示す図である。
【図３】光源駆動回路の構成を示す図である。
【図４】光源制御回路の構成を示す図である。
【図５】各光源の制御を示す図である。
【図６】実施形態に係る液晶表示装置を適用した携帯電話の構成を示す図である。
【図７】画面の光漏れを示す図である。
【発明を実施するための形態】
【０００７】
以下、図面を参照して本発明の実施形態について説明する。図１は、実施形態に係る液晶表示装置の構成を示す図である。
この図に示されるように、液晶表示装置１は、液晶表示パネル１００と、表示制御回路２０、バックライト３０および光センサー５１−１〜５１−ｎを有する。
液晶表示装置１には、映像データＶdが上位回路から同期信号Ｓyncに同期して供給される。この映像データＶdは、液晶表示パネル１００の各画素に対し階調レベルをそれぞれ指定するものであり、同期信号Ｓyncに含まれる垂直走査信号、水平走査信号およびドットクロック信号（いずれも図示省略）にしたがって走査される画素の順で供給される。
【０００８】
液晶表示パネル１００は、例えばアクティブマトリクス型の透過型であり、その表示領域では、（ｎ・ｐ）行の走査線１１２が図においてＸ（横）方向に延在する。ここで、ｎは、後述するようにバックライト３０における発光領域数であり、３以上の整数である。また、ｐは、１つの発光領域に対応する走査線の行数であり、整数である。
また、３の倍数である３ｍ（ｍは整数）列のデータ線１１４が図においてＹ（縦）方向に延在し、かつ、各走査線１１２と互いに電気的に絶縁を保つように設けられるとともに、これらの走査線１１２とデータ線１１４との交差のそれぞれに対応して、それぞれ画素１１０が配設されている。このように画素１１０が配設された領域が、表示領域１０１となる。
なお、１行の走査線１１２と互い隣接する３列のデータ線１１４との交差に対応する３つの画素１１０は、それぞれＲ（赤）、Ｇ（緑）、Ｂ（青）に対応し、これらＲＧＢの３画素で、１つのドットのカラーを表現する構成となっている。
また、画素１１０は、詳細については特に図示はしないが、画素電極とコモン電極とで液晶層を挟持した周知の液晶素子を有する構成である。すなわち、画素１１０（液晶素子）は、走査線１１２が選択されたときに、データ線１１４に供給されたデータ信号が画素電極に印加されるとともに、画素電極とコモン電極とで保持される電圧に応じた透過率となるものである。
【０００９】
表示制御回路２０は、上記上位回路から供給される同期信号Ｓyncにしたがって各部の動作を制御する。
Ｙドライバー１３０は、表示制御回路２０による制御にしたがって、フレームにわたって走査線１１２をそれぞれ１、２、３、…、（ｎ・ｐ−１）、（ｎ・ｐ）行目という順番で選択し、選択した走査線に選択電圧を、それ以外の走査線には非選択電圧を、それぞれ印加する走査線駆動回路である。
なお、フレームとは、液晶表示パネル１００を駆動することによって、画像の１コマ分を表示させるのに要する期間をいい、同期信号Ｓyncに含まれる垂直走査信号の周波数が６０Ｈｚであれば、その逆数である１６．７ミリ秒である。
Ｘドライバー１４０は、表示制御回路２０による制御にしたがって、映像データＶdをアナログのデータ信号に変換するとともに、Ｙドライバー１３０によって選択される１行分の画素１１０の各々に対し、変換したデータ信号を、それぞれデータ線１１４を介して供給するデータ線駆動回路である。
【００１０】
映像データＶdは、各フレームにおいて１行１列〜１行（３ｍ）列、２行１列〜２行（３ｍ）列、３行１列〜３行（３ｍ）列、…、（ｎ・ｐ）行１列〜（ｎ・ｐ）行（３ｍ）列という画素の順番で供給されるが、このうち、１行１列〜１行（３ｍ）列の映像データＶdが供給される水平走査期間において、表示制御回路２０は、Ｙドライバー１３０およびＸドライバー１４０をそれぞれ次のように制御する。すなわち、表示制御回路２０は、Ｙドライバー１３０に対して１行目の走査線１１２を選択させる一方、Ｘドライバー１４０に対して、当該映像データＶdをデータ信号に変換させるとともに、１列目から（３ｍ）列目までのデータ線１１４に出力させる。
これにより、１行目の画素１１０における画素電極にはデータ信号が印加されるので、１行目の画素１１０には、映像データＶdで指定された階調に応じた電圧が書き込まれることになる。
以下、同様な動作が、２、３、４、…、（ｎ・ｐ）行目の順番で実行されるので、各画素１１０には、映像データＶdで指定された階調に応じた電圧が書き込まれて、光変調像が作成されることになる。
【００１１】
次に、このように作成された光変調像を可視化させるためのバックライト３０について説明する。バックライト３０は、光源３１−１〜３１−ｎと光源駆動回路４０とを有する。ここで、図２（ａ）は、バックライト３０の発光領域を、表示領域１０１との関係で示す平面図であり、図２（ｂ）は、バックライト３０の構成を示す端面図である。
これらの図に示されるように、バックライト３０による発光領域は、表示領域１０１を走査線の延在方向であるＸ方向に沿って分割したｎ個の領域を、データ線の延在方向であるＹ方向に配列させて、上から順に第１〜第ｎ領域としている。なお、ここでいう表示領域の分割とは、物理的な分割ではなく、便宜的な区分を意味する。
【００１２】
一方、図２（ｂ）に示されるように、バックライト３０は、液晶表示パネル１００の背面側に光源３１−１〜３１−ｎが配置する背面直下型である。光源３１−１〜３１−ｎの各々は、それぞれ第１〜第ｎ領域における光の照射源であり、本実施形態では、例えば白色ＬＥＤが用いられる。光源３１−１〜３１−ｎは、反射板を兼ねた隔壁により、液晶表示パネル１００において対応する領域に光を照射する構成となっている。
なお、バックライト３０については、背面直下型としているが、光源３１−１〜３１−ｎを液晶表示パネル１００の側面側に設け、その照射光を導光体等により各領域の背面側に導くとともに、液晶表示パネル１００の背面側から光を照射するサイドエッジ型など様々な構成が適用可能である。
【００１３】
本実施形態では、発光領域が第１〜第ｎ領域に分かれているものの、実際には、液晶表示パネル１００にバックライト３０を組み付ける際の隙間や、回折などにより、ある領域の光源から発せられた光が隣接する領域にも漏れて入射してしまう状態を前提としている。
例えば、第３領域に対応する光源３１−３から発せられた光は、当該第３領域に隣接する第２および第４領域にも漏れて侵入し、さらには、第１、第５領域にも漏れる。もちろん、光漏れの程度は、点灯する光源の領域から離れるにしたがって低下する。
この光漏れの時間的推移を検出するために、本実施形態では、光センサー５１−１〜５１−ｎが、液晶表示パネル１００とバックライト３０との間に設けられ、それぞれ第１〜第ｎ領域における明るさを検出する。
なお、図２（ｂ）において、光センサー５１−１〜５１−ｎは、液晶表示パネル１００における一方の縦側に揃えて配置しているが、他方の縦辺と交互に配置させても良い。
【００１４】
光源駆動回路４０は、同期信号Ｓyncにしたがって光源３１−１〜３１−ｎを駆動するとともに、これらの発光タイミングを、光センサー５１−１〜５１−ｎによる検出結果にしたがって制御するものであり、詳細な構成について図３および図４を参照して説明する。
図３は、光源駆動回路４０の構成を示す図である。この図に示されるように、光源駆動回路４０は、ラインカウンター４２および光源制御回路４４−１〜４４−ｎを有する。
このうち、ラインカウンター４２は、同期信号Ｓyncに含まれる水平走査信号Ｈsyncによって水平走査開始が指示される毎にカウント値Ｃaを「１」ずつアップカウントするとともに、当該カウント値Ｃaを同期信号Ｓyncに含まれる垂直走査信号Ｖsyncによって垂直走査開始が指示されたときにゼロにリセットするものである。
【００１５】
光源制御回路４４−１は、第１領域の光源３１−１を制御するものであり、同様に、光源制御回路４４−２〜４４−ｎは、光源３１−２〜３１−ｎを制御するものである。
ここで、光源制御回路４４−２〜４４−ｎは、構成的にはほぼ同様である。そこで、ｉ（１≦ｉ≦ｎを満たす整数）を用いて、ｉ番目の領域に対応する光源制御回路４４−ｉについて図４を参照して説明する。
【００１６】
図４に示されるように、光源制御回路４４−ｉは、Ａ／Ｄ変換回路６１、クロス検出回路６２、ラッチ回路６３、光源駆動指定回路６４、シフト量算出回路６５および増幅回路６６を有する。
Ａ／Ｄ変換回路６１は、第ｉ領域の光センサー５１−ｉの検出信号をデジタル変換するものである。
クロス検出回路６２は、検出信号で示される明るさが明方向から暗方向に変化しているときに、閾値Ｌthに相当する明るさとなったことを検出して通知するものである。
ラッチ回路６３は、クロス検出回路６２によって通知がなされたときのカウント値Ｃaをラッチしてカウント値Ｃbとして出力するものである。
【００１７】
一方、光源駆動指定回路６４は、カウント値Ｃaがシフト量算出回路６５によって設定された値に達してから一定期間経過するまで、光源３１−ｉを点灯させる電圧信号を出力する。なお、この一定期間は、各領域に属する走査線を選択するのに要する期間であり、カウント値Ｃaが、例えばシフト量算出回路６５による設定値から、当該設定値にｐを加算した値に達するまでの期間を用いることができる。
また、増幅回路６６は、光源駆動指定回路６４による電圧信号を適宜増幅して、光源３１−ｉに供給する。
【００１８】
シフト量算出回路６５は、ラッチ回路６３によって出力されたカウント値Ｃbが値｛（ｉ−１）・ｐ｝に一致している場合、光源駆動指定回路６４に対して設定した値を変更しない。ここで、第ｉ領域に属する走査線１１２は、｛（ｉ−１）・ｐ＋１｝行目から（ｉ・ｐ）行目までの範囲である。一方、選択される走査線の行数は、カウント値Ｃaに対して「１」を加算した値で示される。このため、カウント値Ｃbと値｛（ｉ−１）・ｐ｝とが一致している場合とは、第ｉ領域の明るさが閾値Ｌthに相当する明るさを下回るタイミングと第ｉ領域に属する走査線の選択開始タイミングとが一致していることを意味する。
【００１９】
一方、シフト量算出回路６５は、カウント値Ｃbが値｛（ｉ−１）・ｐ｝より小さい場合、光源駆動指定回路６４に対して設定した値を、カウント値Ｃbと値｛（ｉ−１）・ｐ｝との差分だけ第ｉ領域の光源３１−ｉだけ大きな値に変更して、発光タイミングを遅らせる。これにより、カウント値Ｃbで示されるタイミングが、すなわち第ｉ領域の明るさが閾値Ｌthに相当する明るさを下回るタイミングが、第ｉ領域に属する走査線の選択開始タイミングよりも早い場合であっても、一致するように制御される。
なお、上部の領域、例えば第１領域において、発光タイミングが前フレームとなる。カウント値Ｃaはフレームの開始時にゼロにリセットされるので、また、第１領域に属する走査線の選択開始タイミングは値「０」であるので、カウント値Ｃbと値｛（ｉ−１）・ｐ｝（ｉ＝１）との大小関係が逆転する場合がある。このため、第１領域のシフト量算出回路６５については、この逆転を考慮して、カウント値Ｃbで示されるタイミングが１行目の走査線の選択開始タイミングよりも時間的に先行しているか否かを判断することになる。
【００２０】
他方、シフト量算出回路６５は、カウント値Ｃbが値｛（ｉ−１）・ｐ｝より大きい場合、光源駆動指定回路６４に対して設定した値を、カウント値Ｃbと値｛（ｉ−１）・ｐ｝との差分だけ第ｉ領域の光源３１−ｉだけ小さい値に変更して、発光タイミングを早まらせる。これにより、カウント値Ｃbで示されるタイミングが、第ｉ領域に属する走査線の選択開始タイミングよりも遅れている場合であっても、一致するように制御される。
【００２１】
ここでは、ｉ番目の領域に対応する光源制御回路４４−ｉで代表して説明したが、光源制御回路４４−１〜４４−ｎについても同様な構成である。このため、例えば第１領域の明るさが閾値Ｌthに相当する明るさを下回ったタイミングと第１領域に属する走査線のうち、最初の１行目の選択タイミングとが一致するように、光源３１−１の発光タイミングが制御される。第２領域〜第ｎ領域についても同様であり、その領域の明るさが閾値Ｌthに相当する明るさを下回ったタイミングと、その領域に属する走査線のうち、最初の走査線の選択タイミングとが一致するように、光源３１−２〜３１−ｎの発光タイミングがそれぞれ制御される。
なお、本実施形態では、シフト量算出回路６５は、カウント値Ｃbが値｛（ｉ−１）・ｐ｝に一致している場合に限られず、その差が予め定められた閾値の範囲にある場合、すなわち、光センサーによって検出された明るさが閾値Ｌthに達するタイミングと、当該一の光源に対応する領域に属する走査線が最初に選択されるタイミングとの時間的なズレが予め設定された閾値の範囲内に収まる場合であれば、光源駆動指定回路６４に対して設定した値を変更しないとしても良い。
【００２２】
ところで、第１〜第ｎ領域の光源を順番に点灯させる構成では、当該点灯領域が図７の左方で示されるように推移する。なお、図７では、ｎが「６」である場合を示している。ただし、ある領域の光源が点灯すると、その領域の上下側の領域にそれぞれ光が漏れる。このため、光漏れを考慮した面内の実際の輝度分布は、図７の右方で示されるように推移する。
一方、画素（液晶素子）の電気−光学応答速度は比較的低いので、階調レベルに応じた電圧が書き込まれてから当該電圧に応じた透過率となるまで、ある程度の時間を要する。このため、画素にデータ信号に応じた電圧が書き込まれてから、十分に時間が経過し、書き込まれた電圧に応じた透過率となった状態で、光源を点灯させて視認させる構成が望ましい、と考えられる。
【００２３】
ただし、各画素には、フレームに相当する１６．７ｍｓ毎にデータ信号が印加されるので、ある走査線に位置する画素には、データ信号に応じた電圧を書き込んでから、１６．７ｍｓ経過する前に、当該走査線に対応する領域の光源を点灯させる必要がある。
ここで、バックライト３０では、光漏れが生じているので、その光漏れを考慮した分だけ光源を早めに点灯させる必要があるが、光漏れの程度は、領域毎に異なると考えられる。
例えば、第２〜第（ｎ−１）領域の各々は、その上下両側にそれぞれ別の光源が存在するので、その上の領域の光源が点灯したとき、および、下の領域の光源が点灯したときに、それぞれ光漏れの影響を受けて明るくなるが、最上端に位置する第１領域では、その上側に光源が存在しないので、常に下側の領域の光源が点灯したときだけしか光漏れが発生しない。同様に、最下端に位置する第ｎ領域は、その下側に光源が存在しないので、常に上側の領域の光源が点灯したときだけしか光漏れが発生しない。
したがって、片側で隣接する領域が点灯したときだけしか光漏れの影響を受けない第１および第ｎ領域は、両方側の領域が点灯したときに光漏れの影響を受ける第２〜第（ｎ−１）領域と比較して、暗く見える。
さらに、光漏れの程度は、光源の劣化などによって経年変化する、と考えられる。
【００２４】
これに対して、本実施形態では、図５に示されるように、第１領域〜第ｎ領域の各々について、それぞれ各領域の明るさが閾値Ｌthに相当する明るさを下回ったタイミングと、その領域に属する走査線のうち、最初の走査線の選択タイミングとが一致するように、光源３１−１〜３１−ｎの発光タイミングがそれぞれ制御される。このため、本実施形態によれば、光漏れの程度が領域毎に異なっていたり、経年的に変化したりしても、それぞれ領域毎に最適なタイミングで光源を発光させることが可能となる。
【００２５】
なお、図５では、各領域のうち、最上端、中央部、最下端に位置する領域の光源の発光タイミングについて示している。
このうち、最上端に位置する第１領域の光源３１−１は、光センサー５１−１によって検出された第１領域の明るさが明方向から暗方向への変化において閾値Ｌthとなるタイミングと、第１領域に属する走査線のうち、最初に選択される１行目の選択タイミングとが一致するように、当該選択タイミングよりも時間Δｔ1だけ先んじたタイミングで発光するように制御される。なお、第１領域では、その上側に別の光源が存在しないので、光源３１−１の発光タイミングの後でのみ光漏れの影響を受ける。
一方、中央部に位置する領域の光源は、対応する光センサーによって検出された当該領域の明るさが明方向から暗方向への変化において閾値Ｌthとなるタイミングと、当該領域に属する走査線のうち、最初に選択される走査線の選択タイミングとが一致するように、当該選択タイミングよりも時間Δｔ2だけ先んじたタイミングで発光するように制御される。なお、中央部に位置する領域では、その上側および下側にそれぞれ別の光源が存在するので、発光タイミングの前後において光漏れの影響を受ける。
また、最下端に位置する第ｎ領域では、その下側に別の光源が存在しないので、光源３１−ｎの発光タイミングの前でのみ光漏れの影響を受ける。このため、光センサー５１−ｎによって検出された第ｎ領域の明るさが明方向から暗方向への変化において閾値Ｌthとなるタイミングは、光源３１−ｎの点灯が終了するタイミングである。したがって、最下端に位置する第ｎ領域では、例外的に、当該第ｎ領域に属する走査線のうち、最初に選択される走査線の選択タイミングで消灯するように、１つ前の第（ｎ−１）領域に属する走査線が選択される期間にわたって点灯させれば良い。
【００２６】
なお、実施形態では、垂直帰線期間をゼロとして説明したが、垂直帰線期間を考慮しても良いのはもちろんである。
また、実施形態では、光源として白色ＬＥＤを用いたが、輝度を変化させるものであれば良い。液晶表示パネルを透過型として説明したが、いわゆる半透過型を透過モードで使用する場合にも適用可能である。
【００２７】
次に、上述した実施形態に係る液晶表示装置１を有する電子機器について説明する。図６は、実施形態に係る液晶表示装置１を用いた携帯電話１２００の構成を示す図である。
この図に示されるように、携帯電話１２００は、複数の操作ボタン１２０２のほか、受話口１２０４、送話口１２０６とともに、上述した液晶表示装置を備えるものである。なお、液晶表示装置のうち、液晶表示パネル１００のみ外観として表れ、他については、携帯電話の筐体内となる。
なお、実施形態に係る液晶表示装置は、携帯電話以外の電子機器にも適用可能である。このような電子機器としては、例えばデジタルスチルカメラや、ノートパソコン、液晶テレビ、ビューファインダー型（またはモニタ直視型）のビデオレコーダー、カーナビゲーション装置、電子手帳、電卓、ワードプロセッサー、ワークステーション、テレビ電話、タッチパネルを備えた機器等などの表示部を有するものが挙げられる。
【符号の説明】
【００２８】
１…液晶表示装置、２０…表示制御回路、３０…バックライト、３１−１〜３１−ｎ…光源、４０…光源駆動回路、１００…液晶表示パネル、１３０…Ｙドライバー、１４０…Ｘドライバー、１２００…携帯電話
【図１】
2010191190.tif 000003
【図２】
2010191190.tif 000004
【図３】
2010191190.tif 000005
【図４】
2010191190.tif 000006
【図５】
2010191190.tif 000007
【図６】
2010191190.tif 000008
【図７】
2010191190.tif 000009